【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
ノズルアセンブリであって、
前記ノズルアセンブリは、
液体進入流路（１１）及び液体排出流路（１３）を有するノズル本体（１０）と、
ノズル本体（１０）に装着され、収納室（２２）が設けられた蓋体（２０）と、
前記蓋体（２０）に係合する減圧調節部品（３０）と、
前記収納室（２２）内に設けられ、密封弁板（４１）、接続部品（４３）、及び弾性部品（４５）を有する密封アセンブリ（４０）と、を有し、
ここで、前記密封弁板（４１）は、前記液体進入流路（１１）と液体排出流路（１３）との間の導通を封鎖するためのものであり、
前記減圧調節部品（３０）は、前記接続部品（４３）により前記密封弁板（４１）を駆動し、
前記弾性部品（４５）は、弾性回復力を前記接続部品（４３）へ提供して、前記密封弁板（４１）を常閉状態にするためのものであり、
ここで、前記減圧調節部品（３０）が操作されることで、前記減圧調節部品（３０）は、前記接続部品（４３）により、前記密封アセンブリ（４０）が第１動作位置と第２動作位置との間で切り替わるように促し、前記密封アセンブリ（４０）が第１動作位置にあるとき、前記密封弁板（４１）が開き、前記液体進入流路（１１）と前記液体排出流路（１３）は導通し、前記密封アセンブリ（４０）が第２動作位置にあるとき、前記密封弁板（４１）が閉じ、前記液体進入流路（１１）と液体排出流路（１３）との間の導通は封鎖されることを特徴とするノズルアセンブリ。
【請求項２】
前記接続部品（４３）の一端は、減圧調節部品（３０）に固定して接続され、他端は押圧部（４３１）を有し、前記押圧部（４３１）は、密封弁板（４１）に当接することを特徴とする請求項１に記載のノズルアセンブリ。
【請求項３】
前記接続部品（４３）の一端は、減圧調節部品（３０）に可動的に接続され、他端は、密封弁板（４１）に固定して接続されることを特徴とする請求項１に記載のノズルアセンブリ。
【請求項４】
前記接続部品（４３）は、前記減圧調節部品（３０）と一体に成形され、密封弁板（４１）に取り外し可能に接続される、又は、前記減圧調節部品（３０）に取り外し可能に接続され、密封弁板（４１）と一体に成形されることを特徴とする請求項１に記載のノズルアセンブリ。
【請求項５】
前記弾性部品（４５）は、前記蓋体（２０）及び前記押圧部（４３１）にそれぞれ当接又は接続され、前記押圧部（４３１）に対して密封弁板（４１）方向の弾性力を加えるためのものであることを特徴とする請求項２に記載のノズルアセンブリ。
【請求項６】
前記減圧調節部品（３０）には調節部（３１）が設けられ、前記蓋体（２０）には前記調節部（３１）に係合する第１動作部（２１）、第２動作部（２３）が設けられ、調節部（３１）が第１動作部（２１）を押圧するとき、前記密封弁板（４１）が開き、前記液体進入流路（１１）と液体排出流路（１３）は導通し、調節部（３１）が第２動作部（２３）を押圧するとき、前記密封弁板（４１）が前記液体進入流路（１１）と液体排出流路（１３）との間の導通を封鎖することを特徴とする請求項１−５のいずれか一項に記載のノズルアセンブリ。
【請求項７】
前記減圧調節部品（３０）は、接続部品（４３）に係合する本体（３２）を有し、前記調節部（３１）は、前記本体（３２）から突出して設けられてなることを特徴とする請求項６に記載のノズルアセンブリ。
【請求項８】
前記第１動作部（２１）及び第２動作部（２３）は、蓋体（２０）の端面から凹んで設けられてなることを特徴とする請求項６に記載のノズルアセンブリ。
【請求項９】
前記第１動作部（２１）は、調節部（３１）に係合する第１平面（２１１）を有し、前記第２動作部（２３）は、調節部（３１）に係合する第２平面（２３１）を有し、
ここで、前記第２平面（２３１）は、前記第１平面（２１１）よりも傾斜しており、前記調節部（３１）を前記弾性部品（４５）の作用で、前記第２平面（２３１）に沿って自動で摺動させることを特徴とする請求項８に記載のノズルアセンブリ。
【請求項１０】
前記第１動作部（２１）は、調節部（３１）に係合する第１平面（２１１）を有し、前記第２動作部（２３）は、調節部（３１）に係合する第２平面（２３１）を有し、前記第１平面（２１１）と第２平面（２３１）との間には移行面（２４）を有することを特徴とする請求項８に記載のノズルアセンブリ。
【請求項１１】
第１平面（２１１）には限定部（２１３）がさらに設けられることで、調節部（３１）が第１平面（２１１）に保持されるよう限定することを特徴とする請求項９又は１０に記載のノズルアセンブリ。
【請求項１２】
前記移行面（２４）は、第１平面（２１１）及び第２平面（２３１）を接続する傾斜面であることを特徴とする請求項１０に記載のノズルアセンブリ。
【請求項１３】
前記限定部（２１３）は、凸部であることを特徴とする請求項１１に記載のノズルアセンブリ。
【請求項１４】
前記限定部（２１３）は、移行面（２４）に隣接することを特徴とする請求項１１に記載のノズルアセンブリ。
【請求項１５】
前記減圧調節部品（３０）は、二つの調節部を有し、前記蓋体（２０）には二組の第１動作部（２１）及び第２動作部（２３）が対応して設けられることを特徴とする請求項６に記載のノズルアセンブリ。
【請求項１６】
前記ノズル本体（１０）は、フック部（１７）を有し、前記蓋体（２０）の収納室（２２）内壁にはフック部（１７）に係合する摺動溝（２１１）が設けられ、前記摺動溝（２１１）は、蓋体（２０）端面を貫通する第１摺動溝（２１１１）、及び第１摺動溝（２１１１）に連通する第２摺動溝（２１１３）を有し、前記フック部（１７）は、蓋体（２０）端面から第１摺動溝（２１１１）を経て第２摺動溝（２１１３）へ摺動して入り、前記第２摺動溝（２１１３）内壁にはフック部（１７）を限定する位置決め部（２１１５）が設けられることを特徴とする請求項１−１５のいずれか一項に記載のノズルアセンブリ。
【請求項１７】
前記第１摺動溝（２１１１）の延在方向は、蓋体（２０）端面に垂直であり、第２摺動溝（２１１３）は第１摺動溝（２１１１）に垂直であることを特徴とする請求項１６に記載のノズルアセンブリ。
【請求項１８】
前記第２摺動溝（２１１３）は、幅広の第１部分（２１１６）、及び幅狭の第２部分（２１１７）を有し、かつ第２摺動溝（２１１３）内壁に設けられた位置決め部（２１１５）は、第１部分（２１１６）と第２部分（２１１７）との間に位置することを特徴とする請求項１６に記載のノズルアセンブリ。
【請求項１９】
前記蓋体（２０）は係合部（２５）を有し、前記弾性部品（４５）の一端は、前記係合部（２５）を押圧し、他端は、接続部品（４３）の押圧部（４３１）を押圧することを特徴とする請求項５に記載のノズルアセンブリ。
【請求項２０】
前記係合部（２５）は、蓋体（２０）の一端に位置し、蓋体（２０）の収納室（２２）内壁から突出して設けられてなることを特徴とする請求項１９に記載のノズルアセンブリ。
【請求項２１】
前記係合部（２５）及び前記弾性部品（４５）は、環状であることを特徴とする請求項２０に記載のノズルアセンブリ。
【請求項２２】
前記蓋体（２０）の一端には密封弁板（４１）方向へ延在して限定壁（２７）が形成され、前記限定壁（２７）は、収納室（２２）内壁とともに弾性部品（４５）を収納するための収納溝（２９）を囲むように設けられ、前記係合部（２５）は、収納溝（２９）の一端に位置することを特徴とする請求項１９に記載のノズルアセンブリ。
【請求項２３】
前記接続部品（４３）は、止め輪（５０）により減圧調節部品（３０）に固定されることを特徴とする請求項２に記載のノズルアセンブリ。
【請求項２４】
前記減圧調節部品（３０）の端面は凹溝（３５）を有し、前記止め輪（５０）は、凹溝（３５）内に位置することを特徴とする請求項２３に記載のノズルアセンブリ。
【請求項２５】
前記密封弁板（４１）は、ノズル本体（１０）及び蓋体（２０）に挟持される接続部（４１１）、並びに液体進入流路（１１）及び液体排出流路（１３）に対向する密封部（４１３）を有することを特徴とする請求項１に記載のノズルアセンブリ。
【請求項２６】
ノズル装置（１００）であって、
請求項１−２５のいずれか一項に記載のノズルアセンブリ、及び噴霧口アセンブリ（１２０）を有し、
前記噴霧口アセンブリ（１２０）は、前記ノズルアセンブリに装着され、前記噴霧口アセンブリ（１２０）は、前記液体排出流路（１３）に連通されることを特徴とするノズル装置。
【請求項２７】
無人航空機であって、
本体、アーム、及びアームに装着されたノズル装置（１００）を有し、前記ノズル装置（１００）は、請求項１−２５のいずれか一項に記載のノズルアセンブリ、及び噴霧口アセンブリ（１２０）を有し、前記噴霧口アセンブリ（１２０）は、前記ノズルアセンブリに装着され、前記噴霧口アセンブリ（１２０）は、前記液体排出流路（１３）に連通されることを特徴とする無人航空機。